(57)【要約】【課題】本発明は、アームレストを中間位置で保持できる椅子を提供することを課題とする。【解決手段】枢着部３Ａに取り付けられるカバー部材５０は、主板部５１と該主板部５１の両縁から対向状に延設された一対の側板５２とを具備している。さらに、該主板部５１の内側面５１Ａから複数の可撓性突起５４が差し出されている。そして、アームレスト３が例えば起立位置にあると、該アームレスト３における架設材３９は、最上段にある可撓性突起５４によって支持され、この位置で確実に保持された状態となる。【選択図】  図６
2010172401.tif 000002
【特許請求の範囲】
【請求項１】
脚部と、該脚部に支持される座部と、該脚部に上下回動可能に枢着されたアームレストと、該アームレストの枢着部を被覆するカバー部材とを具備する椅子であって、
前記カバー部材は、
主板部と、該主板部の両縁から対向状に延設された一対の側板とを具備し、該一対の側板で前記脚部を挟むようにして該脚部に固定されており、さらに該側板には、ガイド長孔が設けられており、
前記アームレストは、
所定の回動角度範囲内で回動するものであり、
対向した一対の側板を具備し、該側板で前記脚部および前記カバー部材を挟むようにして該脚部に軸支されていると共に、該側板間には、前記カバー部材のガイド長孔に挿通されて該アームレストの上下回動に伴い該ガイド長孔内を摺動する架設材が差し渡されており、
さらに、前記カバー部材における主板部の内側面からは、前記架設材を支持する可撓性突起が差し出されており、
前記架設材が前記可撓性突起に支持されると該アームレストはその位置で保持状態となり、
該保持状態のアームレストが強制回動されると前記架設材が前記可撓性突起を撓ませながら該可撓性突起を乗り越え摺動自在となって、該アームレストの保持状態が解除されることを特徴とする椅子。
【請求項２】
前記可撓性突起は、架設材の摺動方向に沿って間隔をおいて複数差し出されており、前記架設材が該可撓性突起に支持される位置が、前記回動角度範囲内で複数設定されている請求項１記載の椅子。
【発明の詳細な説明】
【技術分野】
【０００１】
本発明は、上下回動するアームレストを備えた椅子に関するものである。
【背景技術】
【０００２】
高齢者等の体を洗う際に利用される浴室用シャワー椅子等の椅子は、既に知られている。また、該椅子にあっては、アームレスト（肘掛け）を備え、差し出されたアームレストを上下回動可能（跳ね上げ可能）とした構成も提供されている（特許文献１，２参照）。該椅子は、状況に応じてアームレストを水平位置としたり跳ね上げて起立位置としたりして使用することができる。
また、事故防止の観点から、図８に示すように、該アームレストの枢着部にカバー部材ａを取り付け、該枢着部に指が挟まれないようにする構成が知られている。該カバー部材ａは、椅子の脚部Ａに固定されるものであり、ガイド長孔ｂを備え、該アームレストの回動に伴って該ガイド長孔ｂ内をアームレストに設けられた架設材ｃが往復する。
【先行技術文献】
【特許文献】
【０００３】
特開２００４−２６１３２８号公報
特開２００８−１５４７６４号公報
【発明の概要】
【発明が解決しようとする課題】
【０００４】
しかしながら、上記の従来構成は、アームレストを水平位置又は起立位置でしか保持できず、水平位置と起立位置との間の中間位置で保持することができなかった。このため、例えば介助者が高齢者等を浴室内で該椅子に着座させて体を洗うなどの状況においては、作業効率上不便であった。例えば、水平位置にあるアームレストが邪魔であるときに該アームレストを少し上に上げて作業する場面が頻繁にあるが、該アームレストが直ぐに元の位置に下りてきてしまうため、介助者にとっては非常に煩わしい問題であった。従来、この問題に対しては、介助者が片方の手でアームレストを保持しながら窮屈な態勢で作業を行うか、あるいは枢着部の高度かつ面倒なトルク管理を行って対応していた。
また、アームレストを起立位置に仮保持しておく手段としては、図８に示すようにガイド長孔ｂの孔縁にストッパ部ｄを突設し、該ストッパ部ｄにより架設材ｃの摺動を一時的に阻止する構成が提案されていた。しかし、該ストッパ部ｄは長年の使用により摩滅してしまうため、次第に前記架設材ｃがストッパ部ｄを容易に通過するようになり、アームレストの保持力が低下する問題があった。このようにアームレストの保持力が低下すると、アームレストを跳ね上げて起立位置としたつもりであっても該アームレストが不意に水平位置まで勢いよく倒れてきてしまうことがあった。
【０００５】
そこで、本発明は、上記問題を解決するためになされたものであり、所定の回動角度範囲内で上下回動するアームレストを、その中間位置で保持でき、しかもその保持力が低下しない椅子を提供することを目的とする。
【課題を解決するための手段】
【０００６】
本発明は、上記課題を解決するためになされたものであり、脚部と、該脚部に支持される座部と、該脚部に上下回動可能に枢着されたアームレストと、該アームレストの枢着部を被覆するカバー部材とを具備する椅子であって、前記カバー部材は、主板部と、該主板部の両縁から対向状に延設された一対の側板とを具備し、該一対の側板で前記脚部を挟むようにして該脚部に固定されており、さらに該側板には、ガイド長孔が設けられており、前記アームレストは、所定の回動角度範囲内で回動するものであり、対向した一対の側板を具備し、該側板で前記脚部および前記カバー部材を挟むようにして該脚部に軸支されていると共に、該側板間には、前記カバー部材のガイド長孔に挿通されて該アームレストの上下回動に伴い該ガイド長孔内を摺動する架設材が差し渡されており、さらに、前記カバー部材における主板部の内側面からは、前記架設材を支持する可撓性突起が差し出されており、前記架設材が前記可撓性突起に支持されると該アームレストはその位置で保持状態となり、該保持状態のアームレストが強制回動されると前記架設材が前記可撓性突起を撓ませながら該可撓性突起を乗り越え摺動自在となって、該アームレストの保持状態が解除されることを特徴とする椅子である。
【０００７】
上記の可撓性突起は、該架設材を例えば該ガイド長孔内の中間位置で支持することができ、この状態においては前記アームレストが回動角度範囲内における中間位置で保持される。さらに、該可撓性突起は、架設材が乗り越えて通過した後に弾性力によって元の形状に復元するから、従来のストッパ部のように摩滅してストッパとしての機能が失われてしまうことがない。
【０００８】
また、前記可撓性突起は、架設材の摺動方向に沿って間隔をおいて複数差し出されており、前記架設材が該可撓性突起に支持される位置が、前記回動角度範囲内で複数設定されている構成としてもよい。
【０００９】
かかる構成により、多段階で架設材を支持できることとなり、前記回動角度範囲内において多段階でアームレストを保持状態とすることができる。
【発明の効果】
【００１０】
本発明の椅子は、簡易構造でアームレストを例えば中間位置で保持することができる。また、架設材を支持する突起を可撓性としたから、該突起が摩滅してしまうことがなく、アームレストの保持力は低下しない。
【図面の簡単な説明】
【００１１】
【図１】実施形態のシャワー用折り畳み椅子を示す外観斜視図。
【図２】アームレストの枢着部を示す説明図。
【図３】カバー部材を示す外観斜視図。
【図４】カバー部材の側断面図。
【図５】図４におけるＡ−Ａ線断面図。
【図６】枢着部を示す部分断面図であり、ａ）はアームレストが起立位置にあり、ｂ）は中間位置にあり、ｃ）は水平位置にある状態を示している。
【図７】可撓性突起と架設材とを示す説明図。
【図８】従来構成の枢着部を示す説明図。
【発明を実施するための形態】
【００１２】
以下、本発明の椅子を浴室で使用するシャワー用折り畳み椅子に具体化した一実施形態について説明する。
図１に示すように、シャワー用折畳み椅子１にあっては、左右の前脚部４，４の上部に三角ブラケット４１，４１を介して後脚部５，５の上端が枢着されている。そして、前脚部４，４と後脚部５，５とが開閉することにより該シャワー用折畳み椅子１は折畳み可能とされている。
【００１３】
また、該左右の前脚部４，４は、上端において上辺部４Ａを介して連続しており、該左右の前脚部４，４と該上辺部４Ａとでコの字形を形成している。そして該上辺部４Ａの前側に、背もたれ２が取り付けられている。
【００１４】
また、該左右の前脚部４，４の中間部と該左右の後脚部５，５の中間部との間には、座部６が配置されており、該座部６が上方へ跳ね上げ可能に該前脚部４及び後脚部５に支持されている。なお、該前脚部４及び該後脚部５は、それぞれ長さ調節可能に構成されている。
【００１５】
また、該左右の前脚部４，４の上部には、アームレスト３，３の基端部が枢軸３３を介して枢着され、該アームレスト３が枢着部３Ａを中心にして上下回動可能とされている。さらに、該枢着部３Ａにおける前脚部４には、該枢着部３Ａに指が入り込んでしまうことを防止するカバー部材５０が取り付けられている（図２参照）。
【００１６】
更に詳述すると、図２に示すように、該アームレスト３は、本体３１と、該本体３１の内側にビス等で取り付けられる内側部材３２Ａとで構成されている。該本体３１は、その上面で使用者の肘を支持するものであり、その基端部に切欠き３４と軸孔３１Ｂとが設けられている。一方、該内側部材３２Ａは、対向状に設けられた左右一対の側板３２，３２を具備し、該側板３２には、軸孔３２Ｂが設けられていると共に、その下縁にストッパとなる段部３７が形成されている。さらに、該側板３２間には、丸棒状の架設材３９が架け渡されている。
【００１７】
前記カバー部材５０は、合成樹脂材料からなり、図２〜図５に示すように、主板部５１と該主板部５１の両縁から対向状に延設された一対の側板５２とを具備している。また、図３に示すように、各側板５２には、円弧状のガイド長孔５３と、該ガイド長孔５３に連通する直線状の切欠溝５７と、該切欠溝５７の上下にそれぞれ配された丸孔５６とが貫設されている。
【００１８】
そして、前記のアームレスト３とカバー部材５０は、以下の態様で前脚部４に取り付けられている。
前記カバー部材５０が、側板５２，５２で前脚部４を挟むようにして該前脚部４に配置されると共に、前脚部４に予め設けられた軸孔（図示省略）と該側板５２における下側の丸孔５６とにストッパーピン５８が挿通されて該前脚部４に固定されている。なお、ストッパーピン５８は、その両端が該丸孔５６から外側方に向けて突出する位置で固定される。また、前記アームレスト３が、側板３２，３２で該カバー部材５０と前脚部４とを挟むようにして該前脚部４に配置され、かつ前記枢軸３３（図２中では省略する）が、アームレスト３における軸孔３１Ｂと軸孔３２Ｂ、前脚部４における軸孔（隠れて見えない）、および、カバー部材５０における上側の丸孔５６に各々挿通され、該アームレスト３が該前脚部４に対して上下方向に回動自在とされている。ここで、該アームレスト３を前脚部４に軸支する際には、該アームレスト３における架設材３９を、前記カバー部材５０の切欠溝５７を介してガイド長孔５３に挿通させ、該アームレスト３の上下回動に伴って該架設材３９が該ガイド長孔５３内を摺動するようにしている。
【００１９】
上記のように、アームレスト３の上下回動に伴い架設材３９がガイド長孔５３に沿って往復する構成とすると、該アームレスト３はぐらつくことなく円滑に回動する。ここで、アームレスト３が上方又は下方に回動して該架設材３９が該ガイド長孔５３の一方の孔縁に突き当たると、その位置でアームレスト３の回動が規制される。すなわち、該アームレスト３は、所定の回動角度範囲内で上下回動する。さらに、該アームレスト３を水平状態とした際には、前記の段部３７が前記のストッパーピン５８に当接することとなり、該アームレスト３が確実に水平位置に保持される。なお、側板３２間に架設材３９を架設することにより、側板３２，３２間の長さが変化することが防止されるため、ストッパーピン５８と段部３７とが確実に当接することとなる。
【００２０】
さらに、前記カバー部材５０は、図４，５に示すように、主板部５１の内側面５１Ａから複数の可撓性突起５４が差し出されている。なお、本実施例では、該可撓性突起５４は、図４に示すようにガイド長孔５３，５３の長手方向に沿って間隔をおいて４つ列設されていると共に、図５に示すように、内側面５１Ａに左右一対で整列状に配置されている。さらに、該可撓性突起５４は、カバー部材５０と同じ合成樹脂材料で構成されており、可撓性を有する。またその突起高さは、図４に示すように、その先端がガイド長孔５３内を摺動する架設材３９に接触可能であって該架設材３９を支持できる高さとされている。
【００２１】
上述の構成にあって、図６ａに示すように、前記アームレスト３がほぼ垂直な起立位置にある場合は、架設材３９がガイド長孔５３内の上端に位置する。そして、該起立位置にあっては、該架設材３９は、図７ａに示すように、最上段にある可撓性突起５４によって支持されている。したがって、該アームレスト３はこの位置で確実に保持された状態となっており、不意に倒れたりすることがない。次に、該アームレスト３を強制的に下方へ回動させると、これに伴って該架設材３９は、図７ｂに示すように、該可撓性突起５４を下向きに撓ませながら該ガイド長孔５３内を下向きに摺動開始する。そして、該可撓性突起５４を乗り越えて摺動自在となると、該アームレスト３は、前記保持状態が解除されて回動自在となる。図６ｂに示す状態は、上から３番目の可撓性突起５４に架設材３９が支持されることにより、アームレスト３が回動角度範囲内において中間位置で保持されている状態である。そして、上述したアームレスト３の回動動作を繰り返すことにより、図６ｃに示すような水平位置とすることができる。なお、勿論、該アームレスト３は、水平位置などから上方に回動させて、所定位置で保持状態とすることもできる。
【００２２】
上記可撓性突起５４についてさらに詳述する。
該可撓性突起５４は、基端から先端へ向かうに従って薄肉となる形状であり、先端部が架設材３９に押圧されて撓む性質を有すると共に、該先端部が架設材３９が乗り越えて通過した後に弾性力によって元の形状に復元するから、長年の使用によってもその支持機能が減退することがない。したがって、該椅子１にあっては、アームレスト３の保持力が低下しない。なお、材質としては、ポリプロピレン、ポリエチレン、ポリアミド、ポリウレタン、ポリスチレン、ＡＢＳ樹脂、硬質ゴム、エラストマー等が適宜選択されうる。また、図４等に示すように、前記可撓性突起５４は、架設材３９の摺動方向に沿って間隔をおいて複数差し出されているため、アームレスト３を多段階で保持することができる利点がある。ただし、本発明はアームレスト３を多段階で保持できる構成に限定されるものではない。
【００２３】
なお、上記実施形態では、本発明の椅子をシャワー用折畳み椅子１に具体化したが、該シャワー用折畳み椅子１に限らず、跳ね上げあるいは跳ね下ろし可能なアームレストを有している椅子であれば、何れの椅子に具体化してもよい。また、カバー部材５０と可撓性突起５４とを一体成形してもよいし、別々に成形して接着、接合、又は貼着してもよい。
【産業上の利用可能性】
【００２４】
本発明は、高齢者等が使用する折り畳み椅子であって介護の際に利用されるものであるため、産業上利用可能である。
【符号の説明】
【００２５】
１    シャワー用折り畳み椅子
３    アームレスト
３Ａ  枢着部
４    前脚部
５    後脚部
６    座部
３２  側板
３９  架設材
５０  カバー部材
５１  主板部
５２  側板
５３  ガイド長孔
５４  可撓性突起
【図１】
2010172401.tif 000003
【図２】
2010172401.tif 000004
【図３】
2010172401.tif 000005
【図４】
2010172401.tif 000006
【図５】
2010172401.tif 000007
【図６】
2010172401.tif 000008
【図７】
2010172401.tif 000009
【図８】
2010172401.tif 000010